(57)【要約】【課題】  プラスチック部品に表示される、そのプラスチック部品に関する種々の情報を示すプラスチック部品用表示であって、プラスチック部品の色に関する情報を含むプラスチック部品用表示およびこれを有するプラスチック部品の提供。【解決手段】付されるプラスチック部品の色を実質的に示す色表示１０を有するプラスチック部品用表示１およびこれを有するプラスチック部品。【選択図】図１
2006110803.tif 000002
【特許請求の範囲】
【請求項１】
プラスチック部品に付するプラスチック部品用表示であって、付されるプラスチック部品の色を実質的に示す色表示を有するプラスチック部品用表示。
【請求項２】
請求項１記載のプラスチック部品用表示において、付されるプラスチック部品を搭載する装置を実質的に示す装置表示を有することを特徴とするプラスチック部品用表示。
【請求項３】
請求項１または請求項２記載のプラスチック部品用表示を有するプラスチック部品。
【請求項４】
請求項３記載のプラスチック部品において、リサイクルの対象であることを特徴とするプラスチック部品。
【請求項５】
請求項４記載のプラスチック部品において、前記プラスチック部品用表示が、プラスチック部品の重量を実質的に示す重量表示を有することを特徴とするプラスチック部品。
【請求項６】
請求項３ないし５記載のプラスチック部品において、前記プラスチック部品用表示が、プラスチック部品の製造時期を実質的に示す時期表示を有することを特徴とするプラスチック部品。
【請求項７】
請求項３ないし６記載のプラスチック部品において、ＯＡ機器または家電に搭載されるＯＡ機器または家電用の部品であることを特徴とするプラスチック部品。
【発明の詳細な説明】
【技術分野】
【０００１】
本発明は、プラスチック部品に表示される、そのプラスチック部品に関する種々の情報を示すプラスチック部品用表示およびこれを有するプラスチック部品に関する。
【背景技術】
【０００２】
ＯＡ機器、家電においては、プラスチック製の部品が多く使用されており、〔特許文献１〕ないし〔特許文献３〕に記載されているように、かかる部品には、そのリサイクルを目的として、当該部品に関する種々の情報を表示することが行われている。表示を形成する方法としては、〔特許文献３〕に記載されているように、金型を用いて部品の成形時に刻印を施すことが一般的である。
かかる表示の内容としては、〔特許文献１〕ないし〔特許文献３〕にも記載されているように、そのリサイクルのために、プラスチック部品を構成するバージン材とリサイクル材との配合比、部品番号等、製造履歴を含むものとなっている。なお、バージン材とは新製品として製造されたプラスチック部品、リサイクル材とは回収したプラスチック部品すなわち回収材にバージン材を混合して製造されたプラスチック部品をいう。
【０００３】
【特許文献１】特開２００４−１７４９４１号公報
【特許文献２】特開２０００−１５３５２４号公報
【特許文献３】特開２００１−２０５６４４号公報
【発明の開示】
【発明が解決しようとする課題】
【０００４】
しかし、従来の表示内容には、そのプラスチック部品の色に関する情報が含まれていない。たとえば、〔特許文献１〕における表示内容は、図４に示すように、製造年月１２、部品番号１３、樹脂名１４、樹脂グレード１５、充填・補強材１６、安全性ファイルナンバー１７のみを含み、プラスチック部品の色に関する情報が含まれていない。このように、従来の表示内容には、そのプラスチック部品の色に関する情報が含まれておらず、リサイクルなどの際に問題があった。この問題について説明すると次のとおりである。
【０００５】
リサイクルの際には、リサイクルによって製造される部品の色を所望の色にすることを要し、そのために、補色材が添加される。添加すべき補色材の色は、所望の色の部品を得るためには正確に把握する必要がある。しかしながら、プラスチック部品の表面の色は、紫外線、蛍光線、静電気による塵埃吸着、着露等、環境への暴露により、経時的に褪色し、変色してしまうため、リサイクル時における回収材の色の判定が困難となる。また、プラスチック部品の色は、製品の更新、すなわち機能アップ、コスト改善、デザイン変更等の種々の事情により、ロットの変更やマイナーチェンジが行われるため、部品番号等の従来の表示のみでは、正確な色の把握が困難である。
したがって、従来、リサイクル時における補色材の決定が困難であり、多大な労力と時間を費やしていた。
【０００６】
また、同様の問題は、リース製品等において部品交換をするときにも同様に発生している。すなわち、上述のように、ロットの変更やマイナーチェンジにより色が変更されたときには、部品番号等の従来の表示を頼りに部品交換をしても、本来の色とは異なった色の部品に交換することになり、外観において違和感を生じるなどの問題があった。
【０００７】
本発明は、プラスチック部品に表示される、そのプラスチック部品に関する種々の情報を示すプラスチック部品用表示であって、プラスチック部品の色に関する情報を含むプラスチック部品用表示およびこれを有するプラスチック部品を提供することを目的とする。
【課題を解決するための手段】
【０００８】
上記目的を達成するため、請求項１記載の発明は、プラスチック部品に付するプラスチック部品用表示であって、付されるプラスチック部品の色を実質的に示す色表示を有するプラスチック部品用表示にある。
【０００９】
請求項２記載の発明は、請求項１記載のプラスチック部品用表示において、付されるプラスチック部品を搭載する装置を実質的に示す装置表示を有することを特徴とする。
【００１０】
請求項３記載の発明は、請求項１または請求項２記載のプラスチック部品用表示を有するプラスチック部品にある。
【００１１】
請求項４記載の発明は、請求項３記載のプラスチック部品において、リサイクルの対象であることを特徴とする。
【００１２】
請求項５記載の発明は、請求項４記載のプラスチック部品において、前記プラスチック部品用表示が、プラスチック部品の重量を実質的に示す重量表示を有することを特徴とする。
【００１３】
請求項６記載の発明は、請求項３ないし５記載のプラスチック部品において、前記プラスチック部品用表示が、プラスチック部品の製造時期を実質的に示す時期表示を有することを特徴とする。
【００１４】
請求項７記載の発明は、請求項３ないし６記載のプラスチック部品において、ＯＡ機器または家電に搭載されるＯＡ機器または家電用の部品であることを特徴とする。
【発明の効果】
【００１５】
本発明は、プラスチック部品に付するプラスチック部品用表示であって、付されるプラスチック部品の色を実質的に示す色表示を有するプラスチック部品用表示にあるので、プラスチック部品の表面の色が、紫外線、蛍光線、静電気による塵埃吸着、着露等、環境への暴露により、経時的に褪色し、変色してしまっても、リサイクル時における回収材の色の判定は容易であり、また、プラスチック部品の色が、製品の更新、すなわち機能アップ、コスト改善、デザイン変更等の種々の事情により、マイナーチェンジされても、正確な色の把握が容易に行われ、リサイクルに際し、添加すべき補色材の色が、色表示によって色誤判定なく、正確且つ容易に決定されるから、リサイクルの際に、リサイクルによって製造される部品の色を所望の色にすることが可能となるとともに、ロットの変更やマイナーチェンジにより色が変更されたときでも、色表示を頼りに部品交換を行うことで、本来の色と同一色の部品に交換することができ、外観において違和感を生じることもないから、リース製品等における部品交換も容易且つ良好に行うことができ、また高品質なリサイクル部品、リサイクル材を安価で供給することに寄与できるプラスチック部品用表示を提供することができる。
【００１６】
付されるプラスチック部品を搭載する装置を実質的に示す装置表示を有することとすれば、プラスチック部品の表面の色が、紫外線、蛍光線、静電気による塵埃吸着、着露等、環境への暴露により、経時的に褪色し、変色してしまっても、リサイクル時における回収材の色の判定は容易であり、また、プラスチック部品の色が、製品の更新、すなわち機能アップ、コスト改善、デザイン変更等の種々の事情により、マイナーチェンジされても、正確な色の把握が容易に行われ、リサイクルに際し、添加すべき補色材の色が、色表示によって色誤判定なく、正確且つ容易に決定されるから、リサイクルの際に、リサイクルによって製造される部品の色を所望の色にすることが可能となるとともに、ロットの変更やマイナーチェンジにより色が変更されたときでも、色表示を頼りに部品交換を行うことで、本来の色と同一色の部品に交換することができ、外観において違和感を生じることもないから、装置表示を利用することで、リース製品等における部品交換を、特に、容易且つ良好に行うことができ、また高品質なリサイクル部品、リサイクル材を安価で供給することに寄与できるプラスチック部品用表示を提供することができる。
【００１７】
本発明は、請求項１または請求項２記載のプラスチック部品用表示を有するプラスチック部品にあるので、プラスチック部品の表面の色が、紫外線、蛍光線、静電気による塵埃吸着、着露等、環境への暴露により、経時的に褪色し、変色してしまっても、リサイクル時における回収材の色の判定は容易であり、また、プラスチック部品の色が、製品の更新、すなわち機能アップ、コスト改善、デザイン変更等の種々の事情により、マイナーチェンジされても、正確な色の把握が容易に行われ、リサイクルに際し、添加すべき補色材の色が、色表示によって色誤判定なく、正確且つ容易に決定されるから、リサイクルの際に、リサイクルによって製造される部品の色を所望の色にすることが可能となるとともに、ロットの変更やマイナーチェンジにより色が変更されたときでも、色表示を頼りに部品交換を行うことで、本来の色と同一色の部品に交換することができ、外観において違和感を生じることもないから、リース製品等における部品交換も容易且つ良好に行うことができ、高品質なリサイクル部品、リサイクル材を安価で供給できるプラスチック部品を提供することができる。
【００１８】
プラスチック部品がリサイクルの対象であることとすれば、プラスチック部品の表面の色が、紫外線、蛍光線、静電気による塵埃吸着、着露等、環境への暴露により、経時的に褪色し、変色してしまっても、リサイクル時における回収材の色の判定は容易であり、また、プラスチック部品の色が、製品の更新、すなわち機能アップ、コスト改善、デザイン変更等の種々の事情により、マイナーチェンジされても、正確な色の把握が容易に行われ、リサイクルに際し、添加すべき補色材の色が、色表示によって色誤判定なく、正確且つ容易に決定されるから、リサイクルの際に、リサイクルによって製造される部品の色を所望の色にすることが達成されるとともに、ロットの変更やマイナーチェンジにより色が変更されたときでも、色表示を頼りに部品交換を行うことで、本来の色と同一色の部品に交換することができ、外観において違和感を生じることもないから、リース製品等における部品交換も容易且つ良好に行うことができ、高品質なリサイクル部品、リサイクル材を安価で供給できるプラスチック部品を提供することができる。
【００１９】
前記プラスチック部品用表示が、プラスチック部品の重量を実質的に示す重量表示を有することとすれば、プラスチック部品の表面の色が、紫外線、蛍光線、静電気による塵埃吸着、着露等、環境への暴露により、経時的に褪色し、変色してしまっても、リサイクル時における回収材の色の判定は容易であり、また、プラスチック部品の色が、製品の更新、すなわち機能アップ、コスト改善、デザイン変更等の種々の事情により、マイナーチェンジされても、正確な色の把握が容易に行われ、リサイクルに際し、添加すべき補色材の色が、色表示によって色誤判定なく、正確且つ容易に決定され、また、リサイクルの際には、補色材の色のみならず、その質量も決定することを要し、質量の決定には、回収材であるプラスチック部品の重量を知る必要があるが、これを重量表示により容易に知ることができるから、リサイクル時に、補色材の重量を容易に決定することができ、したがって、リサイクルの際に、リサイクルによって製造される部品の色を所望の色にすることが極めて良好に達成されるとともに、ロットの変更やマイナーチェンジにより色が変更されたときでも、色表示を頼りに部品交換を行うことで、本来の色と同一色の部品に交換することができ、外観において違和感を生じることもないから、リース製品等における部品交換も容易且つ良好に行うことができ、極めて高品質なリサイクル部品、リサイクル材を安価で供給できるプラスチック部品を提供することができる。
【００２０】
前記プラスチック部品用表示が、プラスチック部品の製造時期を実質的に示す時期表示を有することとすれば、プラスチック部品の表面の色が、紫外線、蛍光線、静電気による塵埃吸着、着露等、環境への暴露により、経時的に褪色し、変色してしまっても、リサイクル時における回収材の色の判定は容易であり、また、プラスチック部品の色が、製品の更新、すなわち機能アップ、コスト改善、デザイン変更等の種々の事情により、マイナーチェンジされても、正確な色の把握が容易に行われ、リサイクルに際し、添加すべき補色材の色が、色表示によって色誤判定なく、正確且つ容易に決定されるから、リサイクルの際に、リサイクルによって製造される部品の色を所望の色にすることが可能となるとともに、ロットの変更やマイナーチェンジにより色が変更されたときでも、色表示を頼りに部品交換を行うことで、本来の色と同一色の部品に交換することができ、外観において違和感を生じることもないから、リース製品等における部品交換も容易且つ良好に行うことができ、さらに、時期表示を色表示と対応させて用いることで、経時的な色変化を追跡調査する場合等を含め、製造時期ごとの色変化を容易に知ることができ、高品質なリサイクル部品、リサイクル材を安価で供給できるプラスチック部品を提供することができる。
【００２１】
プラスチック部品がＯＡ機器または家電に搭載されるＯＡ機器または家電用の部品であることとすれば、ＯＡ機器または家電用のプラスチック部品の表面の色が、紫外線、蛍光線、静電気による塵埃吸着、着露等、環境への暴露により、経時的に褪色し、変色してしまっても、リサイクル時における回収材の色の判定は容易であり、また、ＯＡ機器または家電用のプラスチック部品の色が、製品の更新、すなわち機能アップ、コスト改善、デザイン変更等の種々の事情により、マイナーチェンジされても、正確な色の把握が容易に行われ、リサイクルに際し、添加すべき補色材の色が、色表示によって色誤判定なく、正確且つ容易に決定されるから、リサイクルの際に、リサイクルによって製造される部品の色を所望の色にすることが可能となるとともに、ロットの変更やマイナーチェンジにより色が変更されたときでも、色表示を頼りに部品交換を行うことで、本来の色と同一色の部品に交換することができ、外観において違和感を生じることもないから、ＯＡ機器または家電であるリース製品等における部品交換も容易且つ良好に行うことができ、高品質なリサイクル部品、リサイクル材を安価で供給できるＯＡ機器または家電用のプラスチック部品を提供することができる。
【発明を実施するための最良の形態】
【００２２】
図１に本発明を適用した、プラスチック部品用表示を示す。このプラスチック部品用表示としての表示部１は、リサイクルの対象である、リサイクル可能な図示しないプラスチック部品、すなわち、ＯＡ機器または家電に搭載されるＯＡ機器または家電用の部品の外装面に表示されたものである。
【００２３】
表示部１はプラスチック部品を識別するための製造履歴を表示したものであって、製造時期を実質的に示す時期表示としての製造年月２、部品番号３、樹脂名４、樹脂グレード５、充填・補強剤６、安全性ファイルナンバー７および当該部品の色を実質的に示す色表示１０が表示されている。
【００２４】
表示部１は、プラスチック部品に対し、プラスチック部品の成形時に、刻印によって形成されたものであるが、プラスチック部品の成形後に印刷によって付されたものであっても良いし、表示部１を印刷等したシール等のシート状の部材をプラスチック部品に貼り付けたものであっても良い。
【００２５】
部品番号３には機種コードを含み、図示の例では「Ｘ０２０」が機種コード、「２３４０」が部品番号を表わしている。よって、部品番号３は、当該部品を搭載するＯＡ機器、家電等の装置を実質的に示す装置表示を構成している。
樹脂名４は、当該部品を構成する材質を実質的に示している。
【００２６】
樹脂グレード５、充填・補強材６はそれぞれ、当該部品を構成する樹脂のグレード、当該部品を構成する樹脂に混合された充填・補強材を実質的に示している。充填・補強剤６、及び安全性ファイルナンバー７を表示すると、クローズト゛マテリアルのみならず、オープンリサイクル、サーマルリサイクル及びケミカルリサイクル処理においても、種々のリサイクル処理に安全、かつ効果的・効率的な対応が可能となるという利点がある。
【００２７】
色表示１０は、当該部品の色を実質的に示すものであればどのようなものでもよく、その色の名称すなわちカラー名称を直接的に表示したものでも良いし、その色を示すコードすなわちカラーコードを表示して当該色を実質的に示すものであっても良い。色表示１０は、もちろん、図１に示した態様のものに限らず、図２において符号１０’で示すごとき態様のものであっても良い。
【００２８】
色表示１０により、リサイクルの際に、リサイクルによって製造される部品の色を所望の色にすることが可能となる。すなわち、プラスチック部品の表面の色が、紫外線、蛍光線、静電気による塵埃吸着、着露等、環境への暴露により、経時的に褪色し、変色してしまっても、リサイクル時における回収材の色の判定は容易であり、また、プラスチック部品の色が、製品の更新、すなわち機能アップ、コスト改善、デザイン変更等の種々の事情により、マイナーチェンジされても、正確な色の把握が容易に行われ、リサイクルに際し、添加すべき補色材の色が、色表示１０によって正確且つ容易に決定される。
【００２９】
補色材の色は、このようにして決定されるが、リサイクルの際には、補色材の色のみならず、その質量も決定することを要し、質量の決定には、回収材であるプラスチック部品の質量、言い換えると量、重量を知る必要がある。この点、表示部１は、部品番号３を有しているため、部品番号３に対応して、部品質量を別途、例えば部品番号毎の部品質量の一覧テーブルなどで管理しておくことにより、リサイクル時に、部品番号３を手がかりにその質量を把握し、補色材の質量、言い換えると量、重量を決定することができる。
【００３０】
しかしながら、補色材の量を容易に決定するには、プラスチック部品の重量が容易に把握できることが望ましく、表示部１は、プラスチック部品の重量を実質的に示す重量表示を有していることが望ましい。なお、環境への暴露によって変色が生じるのは、通常、表面部分だけであるため、この変色部分の重量は、補色材の量を決定する際に無視できる程度であり、補色材の色、量は、通常、プラスチック部品の本来の色、量によって決定される。また、補色材の色、量を決定するに当たって、使用されている充填剤、補強剤が参照される場合にも、充填・補強剤６が表示されていることにより、かかる参照も容易に行われるため、やはり補色剤の色、量は容易に決定される。
よって、リサイクル材の製造に複雑な検証及び準備作業が解消され、又生産管理、品質管理業務が大幅に改善されるから、高品質なリサイクル材、リサイクル部品を安価で提供できる。
【００３１】
また、表示部１により、リース製品等における部品交換も容易且つ良好に行われる。すなわち、上述のように、ロットの変更やマイナーチェンジにより色が変更されたときでも、色表示１０、部品番号３等を頼りに部品交換を行うことで、本来の色と同一色の部品に交換することができ、外観において違和感を生じることもない。
【００３２】
なお、部品交換のみを目的とし、当該プラスチック部品のリサイクルを行わないとき、すなわち当該プラスチック部品がリサイクルの対象でない場合には、表示部１は、製造年月２、重量表示は必ずしも必要でない。また、リサイクルを行う場合であっても、製造年月２は、他の表示があることによって必ずしも必要でない。しかしながら、製造年月２は、通常表示されるものであり、また色表示１０と対応させ、経時的な色変化を追跡調査する場合等において有効である。
【００３３】
図３は表示部の別の例を示すもので、この例の表示部１１では上述した製造年月２などの製造履歴が、任意の電子情報システムで読み取られる、電子情報として読み取り可能なバーコード８により表示されている。このように表示部１１に表示された符号を電子情報システムで読み取ることにより、上述と同様の作用効果が得られる。バーコード８等の電子情報としての表示は、実質的に上述の色表示、装置表示、重量表示、次期表示を行うものである。バーコード８等の電子情報としての表示は、表示部１に示した表示方式と組み合わせて用いても良い。
【００３４】
以上、本発明を実施するための形態として、本発明を適用したプラスチック部品用表示１、１１およびこれを有するプラスチック部品について説明したが、かかるプラスチック部品は、ＯＡ機器、家電に搭載されるものに限定されない。
本発明の適用は、上述の説明において特に限定を行っていない限り、上述の形態に限られるものではない。
【図面の簡単な説明】
【００３５】
【図１】本発明を適用したプラスチック部品用表示を示す概略図である。
【図２】図１に示したプラスチック部品用表示に含まれる色表示の表示内容を換えた概略図である。
【図３】図１に示したプラスチック部品用表示と異なる構成例を示す概略図である。
【図４】従来のプラスチック部品用表示を示す概略図である。
【符号の説明】
【００３６】
１、１１    プラスチック部品用表示
２    時期表示
３    装置表示
１０    色表示
【図１】
2006110803.tif 000003
【図２】
2006110803.tif 000004
【図３】
2006110803.tif 000005
【図４】
2006110803.tif 000006